(57)【要約】      （修正有）【課題】保守作業の現場で蓄電池の状況を適切に提示することができる蓄電池検査装置を提供する。【解決手段】所定の機器に取り付けられて、当該所定の機器に電力を供給することができる蓄電池パックの状態を検査する蓄電池検査装置１０は、持ち運び可能であり、所定の機器から取り外された蓄電池パックの通信端子に接続することができる接続部１０１と、蓄電池パックの動作に関する情報と、蓄電池パックの状態との対応を示す状態テーブルを記憶している記憶部１０５と、接続部１０１を通じて保持部に保持されている履歴情報を取得し、取得した履歴情報と、状態テーブルにおける蓄電池パックの動作に関する情報とを照合することで、蓄電池パックの状態を判定する判定部１０２と、判定部１０２による判定の結果を提示する提示部１０３とを備える。【選択図】図２
2015127676.tif 000002
【特許請求の範囲】
【請求項１】
所定の機器に取り付けられて、当該所定の機器に電力を供給することができる蓄電池パックの状態を検査する蓄電池検査装置であって、
前記蓄電池パックは、前記蓄電池パックの動作に関する履歴情報を保持している保持部と、前記所定の機器との通信を行うための通信端子とを備え、
前記蓄電池検査装置は、
持ち運び可能であり、
前記所定の機器から取り外された前記蓄電池パックの前記通信端子に接続することができる接続部と、
前記蓄電池パックの動作に関する情報と、前記蓄電池パックの状態との対応を示す状態テーブルを記憶している記憶部と、
前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定部と、
前記判定部による判定の結果を提示する提示部とを備える
蓄電池検査装置。
【請求項２】
前記判定部は、さらに、
前記蓄電池パックのＲＳＯＣ（Ｒｅａｌ  Ｓｔａｔｅ  Ｏｆ  Ｃｈａｒｇｅ）を含む情報を、前記履歴情報として取得し、取得した前記ＲＳＯＣに基づいて前記蓄電池パックの余命を算出することで、前記蓄電池パックの状態を判定する
請求項１に記載の蓄電池検査装置。
【請求項３】
前記蓄電池検査装置は、さらに、
前記判定部による前記判定の結果を、前記接続部を通じて前記蓄電池パックの保持部に格納する格納部を備える
請求項１又は２に記載の蓄電池検査装置。
【請求項４】
前記判定部は、
前記接続部が前記通信端子に取り付けられたことを契機として、前記履歴情報を取得する
請求項１〜３のいずれか１項に記載の蓄電池検査装置。
【請求項５】
前記判定部は、
前記保持部が保持している前記履歴情報が所定期間更新されていないことを検出した場合に、前記蓄電池パックについて精密検査が必要であると判定する
請求項１〜４のいずれか１項に記載の蓄電池検査装置。
【請求項６】
前記提示部は、表示部を有し、
前記蓄電池パックの余命に関する情報、故障に関する情報、又は、履歴情報を含む情報を前記表示部に表示させることで、前記判定の結果を提示する
請求項１〜５のいずれか１項に記載の蓄電池検査装置。
【請求項７】
前記蓄電池検査装置は、さらに、
前記蓄電池パックを充電及び放電させることにより前記蓄電池パックのＲＳＯＣを計測する充放電診断部を備える
請求項１〜６のいずれか１項に記載の蓄電池検査装置。
【請求項８】
前記通信端子は、ＵＳＢ（Ｕｎｉｖｅｒｓａｌ  Ｓｅｒｉａｌ  Ｂｕｓ）端子であり、
前記接続部は、ＵＳＢ端子を有し、ＵＳＢ接続規格で前記蓄電池パックと接続可能である
請求項１〜７のいずれか１項に記載の蓄電池検査装置。
【請求項９】
前記蓄電池検査装置は、パーソナルコンピュータ上に構成されたものである
請求項１〜８のいずれか１項に記載の蓄電池検査装置。
【請求項１０】
所定の機器に取り付けられて、当該所定の機器に電力を供給することができる蓄電池パックの状態を検査する蓄電池検査装置における蓄電池検査方法であって、
前記蓄電池パックは、前記蓄電池パックの動作に関する履歴情報を保持している保持部と、前記所定の機器との通信を行うための通信端子とを備え、
前記蓄電池検査装置は、
持ち運び可能であり、
前記所定の機器から取り外された前記蓄電池パックの前記通信端子に接続することができる接続部と、
前記蓄電池パックの動作に関する情報と、前記蓄電池パックの状態との対応を示す状態テーブルを記憶している記憶部とを備え、
前記蓄電池検査方法は、
前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定ステップと、
前記判定ステップでの判定の結果を提示する提示ステップとを含む
蓄電池検査方法。
【請求項１１】
請求項１〜９のいずれか１項に記載の蓄電池検査装置と、
前記蓄電池検査装置により検査される蓄電池パックとを備える
蓄電池検査システム。
【請求項１２】
表示部を備える通信端末において実行され、蓄電池パックの動作に関する履歴情報を前記表示部に表示するプログラムであって、
前記通信端末は、前記履歴情報を保持するサーバと通信接続されており、
前記プログラムは、
前記表示部に、前記蓄電池パックを識別するための蓄電池ＩＤの入力を受け付ける画像を、少なくとも表示し、
受け付けた前記蓄電池ＩＤを前記サーバに送信し、
ユーザＩＤ及び前記蓄電池ＩＤを前記サーバが受信することによって、前記サーバから送信される前記蓄電池パックの前記履歴情報を受信し、
受信した前記履歴情報と、前記蓄電池パックの動作に関する情報に応じて前記蓄電池パックの状態を示す状態テーブルとを照合して前記蓄電池パックの状態の判定を行い、
前記判定の結果を示す画像を生成し、
生成した前記画像を前記表示部に表示することを
前記通信端末に実行させるためのプログラム。
【請求項１３】
前記蓄電池パックの状態に関する情報と、前記蓄電池パックの動作に関する情報を表示する旨のアイコンとを含む第１画像データを生成し、
前記表示部が前記第１画像データを表示しているときに前記アイコンに対する操作を受け付けた場合、前記蓄電池の動作に関する情報を示す第２画像データを前記表示部に表示することを、前記通信端末に実行させるための
請求項１２に記載のプログラム。
【請求項１４】
前記通信端末は、携帯電話端末である
請求項１２又は１３に記載のプログラム。
【発明の詳細な説明】
【技術分野】
【０００１】
本発明は、蓄電池検査装置、蓄電池検査方法、蓄電池検査システム、及び、プログラムに関する。
【背景技術】
【０００２】
特許文献１は、二次電池（蓄電池）の再利用を円滑に行うための電池情報管理装置などを開示する。この技術によれば、電池情報管理装置において適切に二次電池についての特性情報などが管理され、より安価で環境循環型の蓄電池リユースシステムが実現される。
【先行技術文献】
【特許文献】
【０００３】
【特許文献１】特開２００７−１４１４６４号公報
【発明の概要】
【発明が解決しようとする課題】
【０００４】
しかしながら、保守者などが蓄電池の保守作業を行う際に、保守作業の現場で蓄電池の状況を適切に把握することができないという問題がある。
【０００５】
そこで、本発明は、保守作業の現場で蓄電池の状況を適切に提示する蓄電池検査装置を提供する。
【課題を解決するための手段】
【０００６】
本発明の一態様に係る蓄電池検査装置は、所定の機器に取り付けられて、当該所定の機器に電力を供給することができる蓄電池パックの状態を検査する蓄電池検査装置であって、前記蓄電池パックは、前記蓄電池パックの動作に関する履歴情報を保持している保持部と、前記所定の機器との通信を行うための通信端子とを備え、前記蓄電池検査装置は、持ち運び可能であり、前記所定の機器から取り外された前記蓄電池パックの前記通信端子に接続することができる接続部と、前記蓄電池パックの動作に関する情報と、前記蓄電池パックの状態との対応を示す状態テーブルを記憶している記憶部と、前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定部と、前記判定部による判定の結果を提示する提示部とを備える。
【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の蓄電池検査装置は、保守作業の現場で蓄電池の状況を適切に提示することができる。
【図面の簡単な説明】
【０００９】
【図１】図１は、実施の形態における蓄電池検査システムの構成図である。
【図２】図２は、実施の形態における蓄電池検査装置の構成を示すブロック図である。
【図３】図３は、実施の形態における蓄電池パックの構成を示すブロック図である。
【図４】図４は、実施の形態における蓄電池パックが保持している動作履歴情報の説明図である。
【図５】図５は、実施の形態における蓄電池パックの余命の算出方法の説明図である。
【図６】図６は、実施の形態における蓄電池検査装置による蓄電池パックの検査処理のフローチャートである。
【図７】図７は、実施の形態における蓄電池検査装置の表示画像の遷移の説明図である。
【図８】図８は、実施の形態における蓄電池検査装置の表示画像の第一例の説明図である。
【図９】図９は、実施の形態における蓄電池検査装置の表示画像の第二例の説明図である。
【図１０】図１０は、実施の形態における蓄電池検査装置の表示画像の第三例の説明図である。
【図１１】図１１は、実施の形態における蓄電池検査装置の表示画像の第四例の説明図である。
【図１２】図１２は、実施の形態の変形例における蓄電池検査システムの構成図である。
【図１３】図１３は、実施の形態の変形例における蓄電池検査システムの処理のシーケンス図である。
【図１４】図１４は、実施の形態の変形例における蓄電池パックの動作履歴情報の説明図である。
【図１５】図１５は、実施の形態の変形例における通信端末に表示される画像の説明図である。
【発明を実施するための形態】
【００１０】
（本発明の基礎となった知見）
本発明者は、「背景技術」の欄において記載した、蓄電池の管理装置などに関し、以下の問題が生じることを見出した。
【００１１】
近年、蓄電池の利用が増えつつある。標準的な環境で使用される場合の蓄電池の寿命は、蓄電池の製品ごとに知られている。一方、蓄電池は、当該蓄電池の使用状況によって寿命が短縮されることが知られている。つまり、蓄電池の余命は、当該蓄電池についてあらかじめ定められた寿命（絶対寿命）と、当該蓄電池の使用状況とに応じて定まることが知られている。
【００１２】
一般に、使用中の蓄電池の余命は、充放電検査装置のような大掛かりな装置を用いて、実際の蓄電池に蓄えられた電力を実際に充放電することで測定される。
【００１３】
特許文献１は、二次電池（蓄電池）の再利用を円滑に行うための電池情報管理装置などを開示する。この技術によれば、電池情報管理装置において適切に二次電池についての特性情報などが管理され、より安価で環境循環型の蓄電池リユースシステムが実現される。
【００１４】
しかしながら、保守者などが蓄電池の保守作業を行う際に、保守作業の現場で蓄電池の状況を適切に把握することができないという問題がある。
【００１５】
そこで、本発明は、保守作業の現場で蓄電池の状況を適切に提示する蓄電池検査装置を提供する。
【００１６】
このような問題を解決するために、本発明の一態様に係る蓄電池検査装置は、所定の機器に取り付けられて、当該所定の機器に電力を供給することができる蓄電池パックの状態を検査する蓄電池検査装置であって、前記蓄電池パックは、前記蓄電池パックの動作に関する履歴情報を保持している保持部と、前記所定の機器との通信を行うための通信端子とを備え、前記蓄電池検査装置は、持ち運び可能であり、前記所定の機器から取り外された前記蓄電池パックの前記通信端子に接続することができる接続部と、前記蓄電池パックの動作に関する情報と、前記蓄電池パックの状態との対応を示す状態テーブルを記憶している記憶部と、前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定部と、前記判定部による判定の結果を提示する提示部とを備える。
【００１７】
これによれば、蓄電池検査装置は、所定の機器から取り外した蓄電池パックの状態を判定し、判定の結果を提示することができる。当該蓄電池検査装置は、保守者により持ち運び可能であり、蓄電池から取得される履歴情報に基づいて蓄電池の状態を判定することができる。保守者は、保守の現場で蓄電池の検査結果を得ることができる。よって、蓄電池検査装置は、保守作業の現場で蓄電池の状況を適切に提示することができる。
【００１８】
例えば、前記判定部は、さらに、前記蓄電池パックのＲＳＯＣ（Ｒｅａｌ  Ｓｔａｔｅ  Ｏｆ  Ｃｈａｒｇｅ）を含む情報を、前記履歴情報として取得し、取得した前記ＲＳＯＣに基づいて前記蓄電池パックの余命を算出することで、前記蓄電池パックの状態を判定するとしてもよい。
【００１９】
これにより、蓄電池検査装置は、蓄電池パックのＲＳＯＣに基づいて蓄電池パックの余命を算出し提示する。保守者は、保守の現場で蓄電池パックの余命を知ることができ、余命に応じた適切な措置をとることができる。
【００２０】
例えば、前記蓄電池検査装置は、さらに、前記判定部による前記判定の結果を、前記接続部を通じて前記蓄電池パックの保持部に格納する格納部を備えるとしてもよい。
【００２１】
これにより、蓄電池検査装置による検査結果を新たに蓄電池パックに格納することで、蓄電池パックの履歴情報を追加することができる。この後、蓄電池検査装置が当該蓄電池パックの検査を行う際には、上記により追加された検査結果が履歴情報として取得される。
【００２２】
例えば、前記判定部は、前記接続部が前記通信端子に取り付けられたことを契機として、前記履歴情報を取得するとしてもよい。
【００２３】
これにより、蓄電池検査装置は、取り付けられた蓄電池パックを検査することができる。取り付けられたことを契機とするので、蓄電池検査装置は、蓄電池パックを取り付けられただけで、保守者による他の操作なしで蓄電池パックの検査を開始することができるので、保守者の利便性が向上する。
【００２４】
例えば、前記判定部は、前記保持部が保持している前記履歴情報が所定期間更新されていないことを検出した場合に、前記蓄電池パックについて精密検査が必要であると判定するとしてもよい。
【００２５】
これにより、蓄電池検査装置は、所定期間検査を受けていない蓄電池パックについては、より精密な検査が必要であることを提示し、保守者に適切な対応をとることを促すことができる。
【００２６】
例えば、前記提示部は、表示部を有し、前記蓄電池パックの余命に関する情報、故障に関する情報、又は、履歴情報を含む情報を前記表示部に表示させることで、前記判定の結果を提示するとしてもよい。
【００２７】
これにより、蓄電池検査装置は、蓄電池パックに関する各種情報を、表示により提示することができる。保守者は、保守の現場で当該表示により各種情報を知得し、適切な対応をとることができる。
【００２８】
例えば、前記蓄電池検査装置は、さらに、前記蓄電池パックを充電及び放電させることにより前記蓄電池パックのＲＳＯＣを計測する充放電診断部を備えるとしてもよい。
【００２９】
これにより、蓄電池検査装置は、実際に蓄電池パックに充放電させることで、蓄電池パックのＲＳＯＣの計測を行うことができる。
【００３０】
例えば、前記通信端子は、ＵＳＢ（Ｕｎｉｖｅｒｓａｌ  Ｓｅｒｉａｌ  Ｂｕｓ）端子であり、前記接続部は、ＵＳＢ端子を有し、ＵＳＢ接続規格で前記蓄電池パックと接続可能であるとしてもよい。
【００３１】
これにより、蓄電池検査装置は、汎用的に用いられている接続規格であるＵＳＢ規格を用いて蓄電池パックとの通信を行うことができる。
【００３２】
例えば、前記蓄電池検査装置は、パーソナルコンピュータ上に構成されたものである
としてもよい。
【００３３】
これにより、蓄電池検査装置は、パーソナルコンピュータのハードウェア資源を利用することで、ソフトウェアによって実現されることができる。また、蓄電池検査装置は、パーソナルコンピュータ（ＰＣ）の一部に組み込まれたものとして実現されることもできる。
【００３４】
また、本発明の一態様に係る蓄電池検査方法は、所定の機器に取り付けられて、当該所定の機器に電力を供給することができる蓄電池パックの状態を検査する蓄電池検査装置における蓄電池検査方法であって、前記蓄電池パックは、前記蓄電池パックの動作に関する履歴情報を保持している保持部と、前記所定の機器との通信を行うための通信端子とを備え、前記蓄電池検査装置は、持ち運び可能であり、前記所定の機器から取り外された前記蓄電池パックの前記通信端子に接続することができる接続部と、前記蓄電池パックの動作に関する情報と、前記蓄電池パックの状態との対応を示す状態テーブルを記憶している記憶部とを備え、前記蓄電池検査方法は、前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定ステップと、前記判定ステップでの判定の結果を提示する提示ステップとを含む。
【００３５】
これにより、上記の蓄電池検査装置と同様の効果を奏する。
【００３６】
また、本発明の一態様に係る蓄電池検査システムは、上記に記載の蓄電池検査装置と、前記蓄電池検査装置により検査される蓄電池パックとを備える。
【００３７】
これにより、上記の蓄電池検査装置と同様の効果を奏する。
【００３８】
また、本発明の一態様に係るプログラムは、表示部を備える通信端末において実行され、蓄電池パックの動作に関する履歴情報を前記表示部に表示するプログラムであって、前記通信端末は、前記履歴情報を保持するサーバと通信接続されており、前記プログラムは、前記表示部に、前記蓄電池パックを識別するための蓄電池ＩＤの入力を受け付ける画像を、少なくとも表示し、受け付けた前記蓄電池ＩＤを前記サーバに送信し、ユーザＩＤ及び前記蓄電池ＩＤを前記サーバが受信することによって、前記サーバから送信される前記蓄電池パックの前記履歴情報を受信し、受信した前記履歴情報と、前記蓄電池パックの動作に関する情報に応じて前記蓄電池パックの状態を示す状態テーブルとを照合して前記蓄電池パックの状態の判定を行い、前記判定の結果を示す画像を生成し、生成した前記画像を前記表示部に表示することを前記通信端末に実行させるためのプログラムである。
【００３９】
これにより、蓄電池検査システムは、蓄電池パックの状態を判定し、判定の結果を提示することができる。蓄電池検査システムは、蓄電池パックとサーバとの通信により取得される履歴情報に基づいて蓄電池パックの状態を判定することができるので、保守者が、保守の現場で蓄電池の検査結果を得ることができる。よって、蓄電池検査装置は、保守作業の現場で蓄電池の状況を適切に提示することができる。
【００４０】
例えば、上記のプログラムにおいて、前記蓄電池パックの状態に関する情報と、前記蓄電池パックの動作に関する情報を表示する旨のアイコンとを含む第１画像データを生成し、前記表示部が前記第１画像データを表示しているときに前記アイコンに対する操作を受け付けた場合、前記蓄電池の動作に関する情報を示す第２画像データを前記表示部に表示することを、前記通信端末に実行させるとしてもよい。
【００４１】
これにより、蓄電池検査システムは、通信端末に表示される画像によって蓄電池パックの検査の進行状況、又は、蓄電池パックの検査結果を提示することができる。また、通信端末により保守者の操作を受け付け、蓄電池パックの検査を進行させることができる。
【００４２】
例えば、上記のプログラムにおいて、前記通信端末は、携帯電話端末であるとしてもよい。
【００４３】
これにより、蓄電池検査システムは、携帯電話端末によって蓄電池パックの状態を提示することができる。
【００４４】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００４５】
以下、実施の形態について、図面を参照しながら具体的に説明する。
【００４６】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４７】
（実施の形態）
図１は、本実施の形態における蓄電池検査システムの構成図である。
【００４８】
蓄電池検査システム１は、蓄電池検査装置１０と、蓄電池パック２０とを備える。
【００４９】
蓄電池パック２０は、所定の機器に取り付けられて、当該所定の機器に電力を供給することができる蓄電池パックである。蓄電池パック２０は、蓄電池パック２０の動作に関する履歴情報を保持しており、所定の機器に取り付けられた状態で履歴情報を所定の機器に送信することができる。蓄電池パック２０は、蓄電池検査システム１による検査の対象である。なお、所定の機器とは、例えば、停電時に電気機器に電力を供給するための予備電源装置、又は、電動アシスト自転車などである。
【００５０】
蓄電池検査装置１０は、蓄電池パック２０を検査するための検査装置である。蓄電池検査装置１０は、蓄電池パック２０に接続して所定の情報を取得し、取得した情報に基づいて判定を行うことによって、蓄電池パック２０の状態を検査し、検査結果を提示する。また、蓄電池検査装置１０は、所定の接続規格によってＰＣ３０（Ｐｅｒｓｏｎａｌ  Ｃｏｍｐｕｔｅｒ）のような外部機器と接続できるようにし、ＰＣ３０の画面又はスピーカなどを用いて検査結果を提示してもよい。このとき、蓄電池検査装置１０とＰＣ３０とをまとめて蓄電池検査装置と考えてもよい。
【００５１】
図２は、本実施の形態における蓄電池検査装置の構成を示すブロック図である。
【００５２】
図２に示されるように、蓄電池検査装置１０は、接続部１０１と、判定部１０２と、提示部１０３と、入力部１０４と、記憶部１０５とを備える。
【００５３】
接続部１０１は、筺体部１００の一部を構成する。また接続部１０１は、所定の機器から取り外された状態の蓄電池パック２０の通信端子２０３に接続可能である。つまり、接続部１０１は、蓄電池検査装置１０と蓄電池パック２０とが通信する際の通信インタフェースである。上記通信の通信規格は、蓄電池パック２０と所定の機器との通信規格と同じものを用いる。上記通信規格は、蓄電池パック２０と所定の機器との間だけで用いられる通信規格であってもよいし、標準的な（汎用の）通信規格であってもよく、例えば、ＵＳＢ（Ｕｎｉｖｅｒｓａｌ  Ｓｅｒｉａｌ  Ｂｕｓ）通信規格を用いてもよい。
【００５４】
判定部１０２は、接続部１０１を通じて蓄電池パック２０の保持部２０５に保持されている履歴情報を取得し、取得した履歴情報と、記憶部１０５に記憶されている状態テーブルとを照合して蓄電池パック２０の状態を判定する。
【００５５】
具体的には、判定部１０２は、保持部２０５から取得した履歴情報と、ＲＳＯＣ（Ｒｅａｌ  Ｓｔａｔｅ  Ｏｆ  Ｃｈａｒｇｅ）とに基づいて、蓄電池パック２０の状態を判定する。状態テーブルとは、複数の項目からなる履歴情報のうちのどの項目が異常であるときに、判定部１０２が当該蓄電池パック２０の状態を異常と判定するかを示すテーブルである。判定部１０２は、保持部２０５から取得した履歴情報の各項目と、状態テーブルとを照合して蓄電池パック２０の状態を判定する。判定部１０２による余命の算出方法については、後で詳しく説明する。
【００５６】
なお、判定部１０２は、保持部２０５が保持している履歴情報が所定期間更新されていないことを検出した場合に、蓄電池パック２０について精密検査が必要であると判定するようにしてもよい。
【００５７】
提示部１０３は、判定部１０２による判定の結果を表示するユーザインタフェースである。提示部１０３は、判定部１０２による判定の結果を表示する画面である表示部１０３１を有する。また、提示部１０３は、判定部１０２による判定の結果を外部機器（例えば、ＰＣ３０）に送信するための通信インタフェースである通信部１０３２を有してもよい。なお、提示部は、さらに、音声で判定の結果を提示するスピーカ（不図示）などを有してもよい。
【００５８】
入力部１０４は、ユーザによる入力を受け付けるユーザインタフェースである。入力部１０４は、例えば、ボタン１０４１と、ボタン１０４２とを有する。ボタン１０４１は、押下されることで当該蓄電池検査装置の電源をＯＮにするためのボタンである。また、ボタン１０４２は、押下されることで表示部１０３１による表示内容を切り換えるためのボタンである。
【００５９】
記憶部１０５は、蓄電池パック２０の動作に関する情報に応じて蓄電池パック２０の状態を示す状態テーブルを記憶している記憶装置である。状態テーブルについては、後で詳細に説明する。
【００６０】
なお、蓄電池検査装置１０のハードウェアを収容する筺体部１００は、人間によって持ち運び可能である。つまり、筺体部１００は、蓄電池検査装置１０における上記の構成要素を実現するハードウェアを収容した状態で、人間が持ち運べる程度の大きさ及び重さを有する。また、筺体部１００は、人間により保持されやすい形状若しくは機構、又は、人間により保持された状態から脱落しにくい形状若しくは機構を備えてもよい。さらに、筺体部１００には、人間が持ち運びをしやすいように「取っ手」等が取り付けられていてもよい。
【００６１】
なお、蓄電池検査装置１０は、電池（不図示）を備えてもよい。当該電池は、蓄電池検査装置１０が動作するための電力を供給する。なお、蓄電池検査装置１０が電池からではなく、蓄電池パック２０から電力供給を受けて動作するようにしてもよいが、その場合、蓄電池パック２０の蓄電容量が実質的にゼロである場合には、蓄電池検査装置１０が動作することができない。上記の理由から、蓄電池検査装置１０は、電池を備えることが望ましい。
【００６２】
なお、蓄電池検査装置１０は、格納部（不図示）を備えてもよい。格納部は、判定部１０２による判定の結果を、接続部１０１を通じて蓄電池パック２０の保持部２０５に格納する。
【００６３】
なお、蓄電池検査装置１０は、充放電診断部（不図示）を備えてもよい。充放電診断部は、蓄電池パック２０を実際に充電及び放電させることにより蓄電池パック２０のＲＳＯＣを計測する。なお、実際に蓄電池パック２０を充放電させるには、比較的大容量の電源装置等が必要となる。また、充放電診断部は、比較的小容量の電源装置等を用いて蓄電池パック２０に充放電させることにより、充放電に使用される回路の正常性を確認することも可能である。
【００６４】
なお、蓄電池検査装置１０は、ＰＣ上に構成されたものであってもよい。つまり、ＰＣのハードウェア資源を利用することで、ソフトウェアによって、蓄電池検査装置１０の機能が実現されてもよい。また、蓄電池検査装置１０がＰＣの一部に組み込まれたものであってもよい。
【００６５】
図３は、本実施の形態における蓄電池パックの構成を示すブロック図である。
【００６６】
蓄電池パック２０は、蓄電池部２０１と、制御部２０２と、通信端子２０３と、電流検出部２０４と、保持部２０５と、提示部２０６とを備える。
【００６７】
蓄電池部２０１は、電力を充電又は放電する蓄電池である。
【００６８】
制御部２０２は、蓄電池パック２０の動作の履歴情報を定期的に取得して保持部２０５に格納する。具体的には、制御部２０２は、蓄電池部２０１が出力する電圧、蓄電池部２０１の温度、及び、電流検出部２０４検出した電流値などを取得して保持部２０５に格納する。また、制御部２０２は、履歴情報の複数の項目についての現在及び過去のそれぞれの状態（正常又は異常）を保持部２０５に格納する。
【００６９】
通信端子２０３は、蓄電池パック２０を所定の機器に取り付ける際に、所定の機器と通信するための端子である。上記通信の通信規格は、所定の機器との間だけで用いられる通信規格であってもよいし、標準的な（汎用の）通信規格であってもよく、例えば、ＵＳＢ（Ｕｎｉｖｅｒｓａｌ  Ｓｅｒｉａｌ  Ｂｕｓ）通信規格を用いてもよい。
【００７０】
電流検出部２０４は、蓄電池部２０１が出力する電流を検出する電流センサである。
【００７１】
提示部２０６は、蓄電池パック２０の動作状態などを提示するユーザインタフェースである。
【００７２】
保持部２０５は、蓄電池パック２０の動作履歴情報及び検査履歴情報を保持する。動作履歴情報とは、蓄電池パック２０の動作環境などの履歴を含む情報である。この情報の例を図４に示す。
【００７３】
図４は、本実施の形態における蓄電池パックが保持している動作履歴情報の説明図である。図４は、動作履歴情報をまとめた動作履歴情報テーブルＴ４０１を示している。
【００７４】
動作履歴情報は、例えば、「動作日」、「電圧」、「温度」及び「過充電の有無」の情報を含むエントリを含む。
【００７５】
「動作日」は、蓄電池パック２０が動作していた日時が格納される。
【００７６】
「電圧」は、当該動作日における蓄電池パック２０の出力電圧が格納される。
【００７７】
「温度」は、当該動作日における蓄電池パック２０の温度が格納される。
【００７８】
「過充電の有無」は、当該動作日において蓄電池パック２０が過充電されたか否かを示す値が格納される。
【００７９】
また、制御部２０２は、動作履歴情報を所定の時間間隔ごとに取得し、保持部２０５に格納する。制御部２０２は、格納する際に、すでに格納されている動作履歴情報のうち古いものであり、かつ、異常値を含まないものを削除することで、動作履歴情報のエントリを所定数に収めるようにしてもよい。異常値を含まないものを削除することで、過去の蓄電池パック２０の状態を判定する根拠となる、異常値を含むエントリを残しながら、記憶容量を節約することができる。
【００８０】
また、保持部２０５は、蓄電池部２０１のＲＳＯＣ（Ｒｅａｌ  Ｓｔａｔｅ  Ｏｆ  Ｃｈａｒｇｅ）を保持する。ＲＳＯＣとは、蓄電池部２０１に充電できる最大容量を示す物理量である。類似の物理量としてＳＯＣ（Ｓｔａｔｅ  Ｏｆ  Ｃｈａｒｇｅ）がある。ＳＯＣは、使用開始時の蓄電池部２０１に充電できる最大容量を示している。一方、ＲＳＯＣは、計測時の蓄電池部２０１に充電できる最大容量を示しており、一般に時間経過に伴って低下する。また、蓄電池部２０１が過充電又は過放電された場合には時間経過に伴う低下より大きい幅で低下する。ＲＳＯＣは、例えば、６ヶ月ごとに取得され、取得されたＲＳＯＣが保持部２０５に格納される。
【００８１】
図５は、本実施の形態における蓄電池パックの余命の算出方法の説明図である。蓄電池パックの余命は、判定部１０２が行う蓄電池パック２０の状態のうちの１つである。
【００８２】
図５の横軸は、蓄電池パック２０の使用を開始してからの経過時間が示されている。縦軸には、ＲＳＯＣが示されている。ここでは、ＲＳＯＣは、使用開始時に１００とした割合で示されている。
【００８３】
図５における実線は、標準的な使用方法で使用された場合の蓄電池パック２０のＲＳＯＣの変化を示している。標準的な使用方法で使用された場合、蓄電池パック２０のＲＳＯＣは時間経過に伴って一定の速度で低下すると考えられるので、当該実線は直線で示されている。そして、ＲＳＯＣが６０％を下回る時点（図５では、使用開始から１０年経過時点）が、蓄電池パック２０の絶対寿命となるように設定されている。
【００８４】
図５における黒点は、蓄電池パック２０で測定されたＲＳＯＣ（実測値）を示す。ＲＳＯＣは、上記のとおり、ＲＳＯＣが６ヶ月ごとに取得される場合、使用開始１年経過後の時点で、３個の実測値が得られている。
【００８５】
図５における１点鎖線は、蓄電池パック２０のＲＳＯＣの推定推移の一例である。推定推移は、使用開始時のＲＳＯＣが１００％であることを条件として、上記のように取得されたＲＳＯＣの実測値の近似直線として得られる。ここで、推定推移とは、実際の蓄電池パック２０の使用状況に応じて推定されるＲＳＯＣの推移のことである。この直線が６０％を下回る時点が推定寿命となる。図５の例では、推定寿命が７年と示されている。
【００８６】
判定部１０２は、上記の値を用いて、（式１）を用いて蓄電池パックの余命を算出する。
【００８７】
（余命）＝（絶対寿命）−（（経過時間）＋（短縮期間））      （式１）
【００８８】
ここで、短縮期間は、（式２）で表わされる。
【００８９】
（短縮期間）＝（絶対寿命）−（推定寿命）      （式２）
【００９０】
絶対寿命とは、蓄電池パック２０が標準的な使用方法で使用された場合に、全うすべき使用可能期間のことである。また、経過時間とは、蓄電池パック２０の使用開始からの経過時間のことである。短縮期間とは、絶対寿命のうち、使用状況によって短縮される期間を示しており、標準的な使用方法で使用された場合にゼロとなる。一方、短縮期間は、使用開始後の蓄電池パック２０が、標準的な使用方法で使用された場合より寿命が短縮されていると判断された場合にゼロより大きい値となる。
【００９１】
図６は、本実施の形態における蓄電池検査装置による蓄電池パックの検査処理のフローチャートである。
【００９２】
ステップＳ６０１において、保守者などにより蓄電池検査装置１０が蓄電池パック２０に取り付けられる。具体的には、蓄電池検査装置１０の接続部１０１が、蓄電池パック２０の通信端子２０３に取り付けられる。これにより、蓄電池検査装置１０は、蓄電池パック２０との間で通信することが可能になる。なお、蓄電池パック２０が所定の機器に取り付けられた状態である場合には、ステップＳ６０１において取り付けられる前に、所定の機器から蓄電池検査装置１０を取り外すことも行われる。
【００９３】
ステップＳ６０２において、蓄電池検査装置１０の電源がＯＮされる。
【００９４】
なお、ステップＳ６０１とＳ６０２との順番は、どちらが先であってもよい。
【００９５】
上記のとおりの順番にすれば、蓄電池検査装置１０の電源ＯＮの時点ですでに蓄電池パック２０が取り付けられているので、蓄電池検査装置１０は、電源ＯＮ後にすぐに蓄電池パック２０の検査の処理を行うことができるというメリットがある。一方、この順番だけに限定するとすれば、複数の蓄電池パック２０を検査しようとする場合に、検査対象の蓄電池パック２０を入れ替える度に蓄電池検査装置１０の電源のＯＦＦ及びＯＮ操作が必要となり煩雑であるというデメリットがある。
【００９６】
一方、蓄電池検査装置１０の電源ＯＮ（ステップＳ６０２）の後に蓄電池パック２０に取り付ける（ステップＳ６０１）と、取り付け時の電気的なノイズが蓄電池検査装置１０及び蓄電池パック２０に入ることで故障の原因となり得るというデメリットがある。一方、複数の蓄電池パック２０を検査しようとする場合に、検査対象の蓄電池パック２０を入れ替えるために蓄電池検査装置１０の電源のＯＦＦ及びＯＮ操作が不要となり利便性が向上するというメリットがある。この場合、判定部１０２は、接続部１０１が通信端子２０３に取り付けられたことを契機として、履歴情報を取得するようにしてもよい。
【００９７】
ステップＳ６０２において、判定部１０２は、接続部１０１を通じて、蓄電池パック２０の保持部２０５に保持されている履歴情報を取得する。
【００９８】
ステップＳ６０３において、判定部１０２は、ステップＳ６０２で取得した履歴情報と、状態テーブルとを照合して蓄電池パック２０の状態を判定する。
【００９９】
ステップＳ６０４において、提示部１０３は、ステップＳ６０３での判定の結果を提示する。具体的には、提示部１０３は、蓄電池パック２０の健康状態、余命、総評、及び、判定結果の詳細のそれぞれについての情報を順次提示する。上記のように提示する情報を切り換えるには、入力部１０４のボタン１０４２が用いられてもよい。つまり、提示部１０３は、ボタン１０４２が操作される度に提示する情報を順次切り替えるようにしてもよい。提示する情報の切り替えについて、図７において説明する。
【０１００】
図７は、本実施の形態における蓄電池検査装置の表示画像の遷移の説明図である。
【０１０１】
図７の（ａ）は、蓄電池検査装置１０の電源がＯＮされた後に、提示部１０３が表示する画像である。当該画像は、蓄電池パック２０の検査ができる状態であることを示す画像である。提示部１０３が画像（ａ）を表示しているときにボタン１０４２が操作されると、提示部１０３は、（ｂ）の画像に表示を切り替える。
【０１０２】
図７の（ｂ）は、蓄電池パック２０の健康状態を表示する画像である。図７の（ｂ）の画像には、健康状態を端的に示す文字と蓄電池の動作に関する履歴情報とが表示される。提示部１０３が画像（ｂ）を表示しているときにボタン１０４２が操作されると、提示部１０３は、（ｃ）の画像に表示を切り替える。
【０１０３】
図７の（ｃ）は、蓄電池パック２０の余命を表示する画像である。図７の（ｃ）の画像には、判定部１０２が判定した余命と、余命の算出に用いた値を含む関連情報とが表示される。提示部１０３が画像（ｃ）を表示しているときにボタン１０４２が操作されると、提示部１０３は、（ｄ）の画像に表示を切り替える。
【０１０４】
図７の（ｄ）は、蓄電池パック２０の健康状態の総評を表示する画像である。提示部１０３が画像（ｄ）を表示しているときにボタン１０４２が操作されると、提示部１０３は、（ｅ）の画像に表示を切り替える。
【０１０５】
図７の（ｅ）は、蓄電池パック２０の健康状態の詳細情報を表示する画像である。提示部１０３が画像（ｅ）を表示しているときにボタン１０４２が操作されると、提示部１０３は、（ａ）の画像に表示を切り替える。
【０１０６】
なお、提示部１０３が図７の（ｂ）〜（ｅ）のいずれかの画像を表示しているときに、蓄電池パック２０が蓄電池検査装置１０から取り外されると、提示部１０３は、図７の（ａ）の画像に表示を切り替える。
【０１０７】
図８は、本実施の形態における蓄電池検査装置の表示画像の第一例の説明図である。図８を参照しながら、蓄電池検査装置１０の電源ＯＮ後に表示される画像、及び、蓄電池パック２０の健康状態を表示する画像についてさらに説明する。
【０１０８】
図８の（ａ）には、蓄電池検査装置１０の電源ＯＮ後に表示される画像である。蓄電池検査装置１０が蓄電池パック２０の検査ができる状態であることを示す画像（「検査準備ＯＫ  ボタンを押す」）が示されている。
【０１０９】
図８の（ｂ）及び（ｃ）は、蓄電池パック２０の健康状態を表示する画像である。画像内の上部には、蓄電池パック２０の健康状態を端的に示す文字が表示される。具体的には、図８の（ｂ）では「健康」が表示され、蓄電池パック２０の使用を継続できることが示されている。また、図８の（ｃ）では「注意」が表示され、蓄電池パック２０の使用に注意が必要であることが示されている。
【０１１０】
また、その文字の下部分には、蓄電池パック２０の動作に関する履歴情報が表示されている。履歴情報は、例えば、現在、又は、過去の所定期間内に蓄電池パック２０が、電圧異常、電池高温異常などを有する状態となったか否かについての詳細情報を含む。図８の（ａ）の画像内の上部に表示される健康状態は、蓄電池パック２０の動作の関する履歴情報に基づいて判定部１０２により判定された結果を反映したものである。
【０１１１】
図９は、本実施の形態における蓄電池検査装置の表示画像の第二例の説明図である。図９を参照しながら、蓄電池パック２０の余命を表示する画像についてさらに説明する。
【０１１２】
図９の画像内の上部には、蓄電池パック２０の余命を示す文字が表示される。具体的には、「１０年」が表示されており、蓄電池パック２０の余命が１０年であることが示されている。
【０１１３】
また、その文字の下部分には、余命の算出に用いた経過時間、推定寿命などを含む関連情報が示されている。なお、関連情報が一画面に表示しきれない場合は、例えば図９の（ａ）及び（ｂ）のように複数の画面を構成し、それらを順次切り替えて表示すればよい。切り替えは、ボタン１０４２による操作があった場合に行うようにしてもよいし、所定の時間が経過した場合に行うようにしてもよい。
【０１１４】
図１０は、本実施の形態における蓄電池検査装置の表示画像の第三例の説明図である。図１０を参照しながら、蓄電池パック２０の健康状態の総評を表示する画像についてさらに説明する。
【０１１５】
図１０の（ａ）は、蓄電池パック２０の健康状態の総評として、「現在も過去も良好  機器は正常です  引続き使用可です」と表示されており、蓄電池パック２０の使用を継続できることが示されている。
【０１１６】
図１０の（ｂ）は、蓄電池パック２０の健康状態の総評として、「現在と過去に  過放電異常  過充電異常」と表示されており、蓄電池パック２０が、現在及び過去に、過放電による異常を検知した状態であり、かつ、過充電による異常を検知した状態でもあることが示されている。
【０１１７】
図１０の（ｃ）は、蓄電池パック２０の健康状態の総評として、「異常を発見したので後日専門の作業員がお伺いします」と表示されており、蓄電池パック２０に発見された異常に対処するために作業員による専門的な作業が必要であることが示されている。なお、蓄電池検査装置１０が通信部１０３２が備える場合、通信部１０３２を経由して蓄電池パックの保守会社へ、専門的な作業が必要であることを通知してもよい。
【０１１８】
図１１は、本実施の形態における蓄電池検査装置の表示画像の第四例の説明図である。図１１を参照しながら、蓄電池パック２０の健康状態の詳細情報を表示する画像についてさらに説明する。
【０１１９】
図１１の（ａ）〜（ｅ）のそれぞれの画像には、蓄電池パック２０の健康状態の詳細情報が示されている。健康状態の詳細情報は、例えば、点検予告回数（ＩＮＳＰＣＷＡＲＮ）、満充電回数（ＦＵＬＬＣＨＡＲＧＥ）、学習回数（ＳＴＵＤＹ）、放電サイクル数（ＤＩＳＣＨＡＲＧＥ）などの情報を含む。なお、詳細情報が一画面に表示しきれない場合には、複数の画面を構成し、それらを順次切り替えて表示すればよい。
【０１２０】
以上のように、本実施の形態における蓄電池検査方法によれば、蓄電池検査装置は、所定の機器から取り外した蓄電池パックの状態を判定し、判定の結果を提示することができる。当該蓄電池検査装置は、保守者により持ち運び可能であり、蓄電池から取得される履歴情報に基づいて蓄電池の状態を判定することができる。保守者は、保守の現場で蓄電池の検査結果を得ることができる。よって、蓄電池検査装置は、保守作業の現場で蓄電池の状況を適切に提示することができる。
【０１２１】
また、蓄電池検査装置は、蓄電池パックのＲＳＯＣに基づいて蓄電池パックの余命を算出し提示する。保守者は、保守の現場で蓄電池パックの余命を知ることができ、余命に応じた適切な措置をとることができる。
【０１２２】
また、蓄電池検査装置による検査結果を新たに蓄電池パックに格納することで、蓄電池パックの履歴情報を追加することができる。この後、蓄電池検査装置が当該蓄電池パックの検査を行う際には、上記により追加された検査結果が履歴情報として取得される。
【０１２３】
また、蓄電池検査装置は、取り付けられた蓄電池パックを検査することができる。取り付けられたことを契機とするので、蓄電池検査装置は、蓄電池パックを取り付けられただけで、保守者による他の操作なしで蓄電池パックの検査を開始することができるので、保守者の利便性が向上する。
【０１２４】
また、蓄電池検査装置は、所定期間検査を受けていない蓄電池パックについては、より精密な検査が必要であることを提示し、保守者に適切な対応をとることを促すことができる。
【０１２５】
また、蓄電池検査装置は、蓄電池パックに関する各種情報を、表示により提示することができる。保守者は、保守の現場で当該表示により各種情報を知得し、適切な対応をとることができる。
【０１２６】
蓄電池検査装置は、実際に蓄電池パックに充放電させることで、蓄電池パックのＲＳＯＣの計測を行うことができる。
【０１２７】
また、蓄電池検査装置は、汎用的に用いられている接続規格であるＵＳＢ規格を用いて蓄電池パックとの通信を行うことができる。
【０１２８】
また、蓄電池検査装置は、パーソナルコンピュータのハードウェア資源を利用することで、ソフトウェアによって実現されることができる。また、蓄電池検査装置は、パーソナルコンピュータ（ＰＣ）の一部に組み込まれたものとして実現されることもできる。
【０１２９】
（実施の形態の変形例）
本変形例では、ネットワーク上のサーバを利用した蓄電池検査システムについて説明する。なお、本変形例では、蓄電池パックに保持されている履歴情報が、サーバを介して通信端末により取得されるまでの情報の経路について実施の形態１と異なる。一方、履歴情報から蓄電池パックの余命又は健康状態などを判定する処理については、実施の形態と同じであるので、適宜詳細な説明を省略する。
【０１３０】
図１２は、実施の形態の変形例における蓄電池検査システムの構成図である。
【０１３１】
図１２に示される蓄電池検査システム２は、蓄電池パック２１と、通信端末３１と、サーバ４１とを備える。
【０１３２】
蓄電池パック２１は、実施の形態における蓄電池パック２０に加えて、ネットワーク通信インタフェース（不図示）を備える。蓄電池パック２１は、所定のタイミングに、保持部２０５に保持されている履歴情報をサーバ４１に送信する。
【０１３３】
通信端末３１は、蓄電池パック２１の履歴情報をサーバ４１から取得し、実施の形態における蓄電池検査装置１０の判定部１０２と同様の判定を行い判定結果を表示する。なお、サーバ４１にアクセスする際に通信端末３１のユーザを特定する情報が必要な場合には、あらかじめユーザにより上記情報の入力を受け付ける必要がある。なお、通信端末３１は、携帯電話端末で実現されてもよい。
【０１３４】
サーバ４１は、蓄電池パック２１から履歴情報をネットワークを介して受信して保存する。また、サーバ４１は、通信端末３１により当該履歴情報の取得要求を受け付けた場合には、当該履歴情報を通信端末３１にネットワークを介して送信する。
【０１３５】
なお、サーバ４１は、サーバ装置とネットワークとをまとめた概念であるクラウドと考えることもできる。ここで、サーバ装置とは、複数のサーバ装置を束ねて１つのサーバ装置と見立てたものであってもよいし、サーバ装置の一部を１つのサーバ装置と見立てたものであってもよい。本変形例では、サーバ４１とネットワークとをまとめて、クラウド４１と記載することもある。
【０１３６】
図１３は、実施の形態の変形例における蓄電池検査システムの処理のシーケンス図である。
【０１３７】
ステップＳ１３０１において、蓄電池パック２１は、動作に関する履歴情報をクラウド４１に送信する。
【０１３８】
ステップＳ１３０２において、通信端末３１は、蓄電池パックの検査を行うアプリ（アプリケーション）を起動する。当該アプリは、通信端末３１上で実施の形態における蓄電池検査装置に相当する機能を実現するアプリケーションである。なお、以降のステップで必要になる場合には、このステップにおいてユーザによるユーザＩＤの入力、又は、蓄電池パック２１の製造番号の入力を受け付けてもよい。
【０１３９】
ステップＳ１３０３において、通信端末３１は、クラウド４１に蓄電池パック２１の履歴情報を取得するための問い合わせを行う。クラウド４１が、ユーザＩＤ又は製造番号の入力を必要とする場合には、ステップＳ１３０２でユーザから取得したユーザＩＤ又は製造番号を問い合わせとともにクラウド４１へ送信する。
【０１４０】
ステップＳ１３０４において、クラウド４１は、ステップＳ１３０３で受け付けた通信端末３１からの問い合わせに応じて、蓄電池パック２１の動作履歴情報を通信端末３１に送信する。
【０１４１】
ステップＳ１３０５において、通信端末３１は、蓄電池パック２１の状態をアプリの機能により判定する。判定方法は、実施の形態における判定部１０２による判定方法と同じである。
【０１４２】
ステップＳ１３０６において、通信端末３１は、ステップＳ１３０５による判定の結果を表示する画像を生成し、生成した画像を表示する。生成及び表示される画像は、実施の形態における表示部１０３１が表示するものと同じである。
【０１４３】
図１４は、実施の形態の変形例における蓄電池パックの動作履歴情報の説明図である。図１４に示される動作履歴情報は、ステップ１３０１で蓄電池パック２１が送信するものである。
【０１４４】
図１４に示される動作履歴情報は、図４に示される動作履歴情報と似ているが、ユーザＩＤと製造番号とを有する点で異なる。
【０１４５】
ユーザＩＤは、蓄電池パック２１を利用しているユーザを一意に識別することができる識別子である。また、製造番号は、蓄電池パック２１の製品１つ１つに割り振られる番号であり、蓄電池パック２１を一意に識別することができる識別子として用いられる。
【０１４６】
日付、電圧、及び、温度に関する情報は、図４に示される動作履歴情報と同じである。
【０１４７】
蓄電池検査システム２は、上記のように、ユーザＩＤ及び製造番号を利用することで、複数の蓄電池パック２１からの動作履歴情報を取得し、また、取得した動作履歴情報を複数のユーザのうちの適切なユーザに提供することができる。
【０１４８】
図１５は、実施の形態の変形例における通信端末に表示される画像の説明図である。
【０１４９】
図１５の（ａ）は、通信端末がユーザにユーザＩＤとパスワードとの入力を促すための画像の一例である。この画像は、図１３のステップ１３０２において表示される画像の一例である。ユーザは、この画像を閲覧した場合、蓄電池パックの状態を確認するためにはユーザＩＤとパスワードとが必要であることを知り、ユーザＩＤとパスワードとを入力する。
【０１５０】
図１５の（ｂ）は、通信端末がサーバに問い合わせを行っているときの画像の一例である。この画像は、図１３のステップＳ１３０３において表示される画像の一例である。
【０１５１】
図１５の（ｃ）は、蓄電池パックの状態を表示する画像の一例である。この画像は図１３のステップＳ１３０６において表示される画像の一例である。
【０１５２】
図１５の（ｄ）は、蓄電池パックの状態を表示する画像の別の一例である。この画像は図１３のステップＳ１３０６において表示される画像の一例であり、（ｃ）の画像から切り替えられて表示されるものである。
【０１５３】
以上のように、本変形例にかかる蓄電池検査システムによれば、蓄電池検査システムは、蓄電池パックの状態を判定し、判定の結果を提示することができる。蓄電池検査システムは、蓄電池パックとサーバとの通信により取得される履歴情報に基づいて蓄電池パックの状態を判定することができるので、保守者が、保守の現場で蓄電池の検査結果を得ることができる。よって、蓄電池検査装置は、保守作業の現場で蓄電池の状況を適切に提示することができる。
【０１５４】
また、蓄電池検査システムは、通信端末に表示される画像によって蓄電池パックの検査の進行状況、又は、蓄電池パックの検査結果を提示することができる。また、通信端末により保守者の操作を受け付け、蓄電池パックの検査を進行させることができる。
【０１５５】
また、蓄電池検査システムは、携帯電話端末によって蓄電池パックの状態を提示することができる。
【０１５６】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の蓄電池検査装置などを実現するソフトウェアは、次のようなプログラムである。
【０１５７】
すなわち、このプログラムは、コンピュータに、所定の機器に取り付けられて、当該所定の機器に電力を供給することができる蓄電池パックの状態を検査する蓄電池検査装置における蓄電池検査方法であって、前記蓄電池パックは、前記蓄電池パックの動作に関する履歴情報を保持している保持部と、前記所定の機器との通信を行うための通信端子とを備え、前記蓄電池検査装置は、持ち運び可能であり、前記所定の機器から取り外された前記蓄電池パックの前記通信端子に接続することができる接続部と、前記蓄電池パックの動作に関する情報と、前記蓄電池パックの状態との対応を示す状態テーブルを記憶している記憶部とを備え、前記蓄電池検査方法は、前記接続部を通じて前記保持部に保持されている前記履歴情報を取得し、取得した前記履歴情報と、前記状態テーブルにおける前記蓄電池パックの動作に関する情報とを照合することで、前記蓄電池パックの状態を判定する判定ステップと、前記判定ステップでの判定の結果を提示する提示ステップとを含む蓄電池検査方法を実行させる。
【０１５８】
以上、一つまたは複数の態様に係る蓄電池検査装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１５９】
本発明は、保守作業の現場で蓄電池の状況を適切に提示するのに利用可能である。具体的には、蓄電池パックの保守作業員による保守作業の現場、又は、蓄電池のリサイクルを行う際の余命の検査などに利用可能である。
【符号の説明】
【０１６０】
１、２    蓄電池検査システム
１０    蓄電池検査装置
２０、２１    蓄電池パック
３０    ＰＣ
３１    通信端末
４１    サーバ（クラウド）
１０１    接続部
１０２    判定部
１０３    提示部
１０４    入力部
１０５    記憶部
２０１    蓄電池部
２０２    制御部
２０３    通信端子
２０４    電流検出部
２０５    保持部
２０６    提示部
１０３１    表示部
１０３２    通信部
１０４１、１０４２    ボタン
【図１】
2015127676.tif 000003
【図２】
2015127676.tif 000004
【図３】
2015127676.tif 000005
【図４】
2015127676.tif 000006
【図５】
2015127676.tif 000007
【図６】
2015127676.tif 000008
【図７】
2015127676.tif 000009
【図８】
2015127676.tif 000010
【図９】
2015127676.tif 000011
【図１０】
2015127676.tif 000012
【図１１】
2015127676.tif 000013
【図１２】
2015127676.tif 000014
【図１３】
2015127676.tif 000015
【図１４】
2015127676.tif 000016
【図１５】
2015127676.tif 000017